(57)【要約】【課題】シャワーヘッド本体から吐出口等が突出せず、かつ、シャワーヘッド自体の径寸法を小さくすることが可能な吐水切替水栓装置を提供する。【解決手段】シャワーヘッド本体２１と吐水切替部３０を備えた吐水切替水栓装置１０であって、吐水切替部３０は、回転可能な操作部３１と、操作部３１の回転運動を回転軸方向の進退運動に変換する運動変換部３７と、回転軸に対して吐水部２３，２４と反対側に偏心した位置で回転軸方向に延びると共に、一端側が運動変換部３７に連結され他端側が弁体３９に連結された弁体駆動軸３８と、弁体３９の進退移動によって、整流吐水部２３からの吐水とシャワー吐水部２４からの吐水とを切替可能な流路形成部材４０，４４とを備え、弁体駆動軸３８は、操作部３１の回転操作により、偏心位置で回転軸方向に進退移動する。【選択図】図８
2010222859.tif 000002
【特許請求の範囲】
【請求項１】
整流吐水部とシャワー吐水部が形成された略円筒状のシャワーヘッド本体と、このシャワーヘッド本体に回転可能に固定され、回転操作により前記整流吐水部からの吐水と前記シャワー吐水部からの吐水とを切替える吐水切替部と、を備えた吐水切替水栓装置であって、
前記吐水切替部は、
前記シャワーヘッド本体の先端に、このシャワーヘッド本体の軸中心方向に沿う回転軸を中心として回転可能に設けられた操作部と、
前記操作部の回転運動を前記回転軸方向の進退運動に変換する運動変換部と、
前記シャワーヘッド本体内で前記回転軸に対して前記整流吐水部及び前記シャワー吐水部と反対側に偏心した位置で前記回転軸方向に延びると共に、一端側が前記運動変換部に連結され他端側が弁体に連結された弁体駆動軸と、
前記弁体の前記回転軸方向への進退移動によって、前記整流吐水部からの吐水と前記シャワー吐水部からの吐水とを切替可能な流路形成部と、を備え、
前記弁体駆動軸は、前記操作部が回転操作されることにより、前記偏心位置に保持された状態で、前記運動変換部を介して前記回転軸方向に進退移動することを特徴とする吐水切替水栓装置。
【請求項２】
前記運動変換部は、
前記操作部の回転操作により前記回転軸を中心として回転する円筒状の弁体駆動軸案内部材であって、その内壁に螺旋状の案内溝が形成された前記弁体駆動軸案内部材と、
前記弁体駆動軸案内部材の案内溝に係合し、前記弁体駆動軸案内部材の回転によって前記回転軸方向に進退移動可能な駆動力伝達部材と、を有し、
前記弁体駆動軸が、前記駆動力伝達部材に連結されていることを特徴とする請求項１に記載の吐水切替水栓装置。
【請求項３】
前記流路形成部は、前記弁体の前記回転軸方向への進退移動により、前記弁体と平面シールする整流吐水弁座部とシャワー吐水弁座部と、を備え、前記弁体が前記整流吐水弁座部に対して平面シールするときに前記整流吐水部への流路を遮断し前記シャワー吐水部から吐水させ、前記弁体が前記シャワー吐水弁座部に対して平面シールするときに前記シャワー吐水部への流路を遮断し前記整流吐水部から吐水させることを特徴とする請求項１又は２に記載の吐水切替水栓装置。
【請求項４】
前記整流吐水部と前記シャワー吐水部は、前記弁体を挟んで前記シャワーヘッド本体の軸線方向に並んで配置されていることを特徴とする請求項１乃至３のいずれか１項に記載の吐水切替水栓装置。
【発明の詳細な説明】
【技術分野】
【０００１】
本発明は吐水切替水栓装置に関し、特に整流吐水口とシャワー吐水口とを有するシャワーヘッド本体からの整流吐水とシャワー吐水とを切替可能な吐水切替水栓装置に関する。
【背景技術】
【０００２】
従来、台所のシンク等に設けられた切替水栓において、吐水ヘッドの先端に設けられた切替操作部を回転操作することにより、整流吐水とシャワー吐水を切替可能な水栓装置が知られている（例えば、特許文献１参照）。
【０００３】
特許文献１に記載のシャワーヘッドでは、略円筒形状のシャワーヘッド本体内の軸心方向に沿って切替軸部が配置されており、先端の切替操作部の回転操作に連動して、切替軸部がシャワーヘッド本体の軸心を中心として回転するようになっている。シャワーヘッド本体の側面には整流吐水口とシャワー吐水口が設けられており、切替軸部の回転位置に応じて、切替軸部内を通って整流吐水口から吐水される流路と、切替軸部周囲を通ってシャワー吐水口から吐水される流路とが切替えられるようになっている。
【０００４】
一方、吐水管の先端に、整流吐水とシャワー吐水の切替えのためではなく、流量調節のための回転操作部が設けられた水栓装置が知られている（例えば、特許文献２参照）。特許文献２に記載の水栓装置では、吐水管の先端に回転操作部が設けられ、この回転操作部は、吐水管内に配置された流調弁を回転可能となっている。この流調弁の回転により、流調弁に形成された吐水開口と吐水口とが重なる面積（すなわち流路面積）を調整することができるので、流量調整が可能となる。
【先行技術文献】
【特許文献】
【０００５】
【特許文献１】特開平２００２−２６６３９６号公報
【特許文献２】特開平２００４−３０８２１２号公報
【発明の概要】
【発明が解決しようとする課題】
【０００６】
しかしながら、特許文献１のシャワーヘッドでは、切替部材がシャワーヘッド本体の軸中心位置に配置されており、整流吐水時にはこの切替部材内部が流路となり、また、シャワー吐水時には切替部材外部（すなわち切替部材とシャワーヘッド本体の周壁との間）が流路となる構造である。このため、特許文献１のシャワーヘッドでは、シャワーヘッド本体の外径寸法が大きくなってしまい、シャワーヘッド本体により、シンク内の視界が狭められてしまうという問題があった。
【０００７】
一方、特許文献２の水栓装置においては、流調弁の内部のみが流路となっており、かつ、流調弁が軸中心から偏心した位置に配置されているので、吐出口が吐水管からそれほど突出しない構造となっている。このため、特許文献２の水栓装置では、全体として凹凸形状が少なく、吐水管の外径寸法が大きくならなくて済む構造となる。
【０００８】
このように、流量調整用の吐水管では、吐水口を切替える機構がないため、吐水ヘッド径を比較的小さくできるものが知られているが、流量調整用の吐水管に比べて、吐水口を切替える機構を内部に組み込む必要があるため、シャワーヘッド径が大きくなってしまう吐水口切替用のシャワーヘッドでは、流量調整用の吐水管のように簡単に、シャワーヘッド径を小さくできるものがなく、シンク内の視界が狭められてしまうという問題が依然として存在していた。
【０００９】
本発明は、このような課題を解決するためになされたものであり、シンク内の視界確保と作業空間の拡大を実現するため、シャワーヘッド本体から吐出口等が突出せず、かつ、シャワーヘッド自体の径寸法を小さくすることが可能な吐水切替水栓装置を提供することを目的としている。
【課題を解決するための手段】
【００１０】
上述した課題を解決するために、本発明は、整流吐水部とシャワー吐水部が形成された略円筒状のシャワーヘッド本体と、このシャワーヘッド本体に回転可能に固定され、回転操作により整流吐水部からの吐水とシャワー吐水部からの吐水とを切替える吐水切替部と、を備えた吐水切替水栓装置であって、吐水切替部は、シャワーヘッド本体の先端に、このシャワーヘッド本体の軸中心方向に沿う回転軸を中心として回転可能に設けられた操作部と、操作部の回転運動を回転軸方向の進退運動に変換する運動変換部と、シャワーヘッド本体内で回転軸に対して整流吐水部及びシャワー吐水部と反対側に偏心した位置で回転軸方向に延びると共に、一端側が駆動力伝達部材に連結され他端側が弁体に連結された弁体駆動軸と、弁体の回転軸方向への進退移動によって、整流吐水部からの吐水とシャワー吐水部からの吐水とを切替可能な流路形成部と、を備え、弁体駆動軸は、操作部が回転操作されることにより、偏心位置に保持された状態で、弁体駆動軸案内部材及び駆動力伝達部材を介して回転軸方向に進退移動することを特徴としている。
【００１１】
このように構成された本発明においては、弁体を駆動する弁体駆動軸が、シャワーヘッド本体の軸中心に沿って略円筒状のシャワーヘッド本体内に配置されているが、この弁体駆動軸は、シャワーヘッド本体の軸中心方向に対して偏心した位置、つまり、シャワーヘッド本体の軸中心方向に沿う操作部の回転軸から、径方向にオフセットされた位置に配設されている。このように弁体駆動軸が操作部の回転中心から径方向の一方側にオフセットされていることにより、径方向の他方側で整流吐水部とシャワー吐水部の配置スペースを確保することができるので、シャワーヘッド本体から径方向にほとんど突出しないように整流吐水部とシャワー吐水部を設けることが可能となる。これにより、シャワーヘッド本体をスリムな円筒形状とすることができ、シンク内の視界確保と作業空間の拡大を実現することが可能な吐水切替水栓装置を提供することができる。
【００１２】
また、本発明において好ましくは、運動変換部は、操作部の回転操作により回転軸を中心として回転する円筒状の弁体駆動軸案内部材であって、その内壁に螺旋状の案内溝が形成された弁体駆動軸案内部材と、弁体駆動軸案内部材の案内溝に係合し、弁体駆動軸案内部材の回転によって回転軸方向に進退移動可能な駆動力伝達部材と、を有し、弁体駆動軸が、駆動力伝達部材に連結されている。
【００１３】
このように構成された本発明においては、操作部が回転することによって、弁体駆動軸案内部材が連動して回転し、この弁体駆動軸案内部材の螺旋溝に配置された駆動力伝達部材が回転軸方向に移動することができる。そして、この軸方向運動により、駆動力伝達部材に連結された弁体駆動軸を回転軸方向に進退移動させることが可能となる。
【００１４】
また、本発明において好ましくは、流路形成部は、弁体の回転軸方向への進退移動により、弁体と平面シールする整流吐水弁座部とシャワー吐水弁座部と、を備え、弁体が整流吐水弁座部に対して平面シールするときに整流吐水部への流路を遮断しシャワー吐水部から吐水させ、弁体がシャワー吐水弁座部に対して平面シールするときにシャワー吐水部への流路を遮断し整流吐水部から吐水させる。
【００１５】
このように構成された本発明においては、弁体が軸方向に進退移動することによって、弁体と整流吐水弁座部及びシャワー吐水弁座部とが、平面シールする構成であるので、弁体が他部材と摺接せず、弁体部分を長寿命化することができる。
【００１６】
また、本発明において好ましくは、整流吐水部とシャワー吐水部は、弁体を挟んでシャワーヘッド本体の軸線方向に並んで配置されている。
このように構成された本発明においては、整流吐水部とシャワー吐水部とがシャワーヘッド本体の軸心方向において、互いに干渉しない位置関係となり、弁体の移動により流路が切替えられた際に、整流吐水部とシャワー吐水部へのそれぞれの流路を軸方向に分離することができ、よりシャワーヘッド本体を小径でスリムな構成とすることが可能となる。
【発明の効果】
【００１７】
本発明の吐水切替吐水切替水栓装置によれば、シャワーヘッド本体から吐出口等が突出せず、かつ、シャワーヘッド自体の径寸法を小さくすることが可能であり、シンク内の視界確保と作業空間の拡大を実現することができる。
【図面の簡単な説明】
【００１８】
【図１】本発明の実施形態におけるシャワー水栓の正面図及び側面図である。
【図２】本発明の実施形態におけるシャワーヘッドの側面図である。
【図３】本発明の実施形態におけるシャワー水栓と既存の水栓装置を示す図である。
【図４】本発明の実施形態におけるシャワーヘッドの分解斜視図である。
【図５】本発明の実施形態におけるカム部材の説明図である。
【図６】本発明の実施形態における弁体駆動軸とピンの組立体の斜視図である。
【図７】本発明の実施形態における第１流路形成部材の説明図である。
【図８】本発明の実施形態におけるシャワーヘッドの断面図である。
【図９】本発明の実施形態におけるシャワーヘッドの断面図である。
【発明を実施するための形態】
【００１９】
次に、添付図面を参照して、本発明の実施形態を説明する。
図１乃至図９を参照して、本発明の実施形態による吐水切替水栓装置を説明する。図１はシャワー水栓の正面図及び側面図、図２はシャワーヘッドの側面図、図３はシャワー水栓と既存の水栓装置を示す図、図４はシャワーヘッドの分解斜視図、図５はカム部材の説明図、図６は弁体駆動軸とピンの組立体の斜視図、図７は第１流路形成部材の説明図、図８及び図９はシャワーヘッドの断面図である。
【００２０】
図１に示すように、本発明の一実施形態による吐水切替水栓装置１０（以下、「シャワー水栓１０」という）は、シンク１の基台２に取り付けられる水栓本体１１と、水栓本体１１の上部に取り付けられたシャワーヘッド２０とを備えている。
水栓本体１１には操作レバー１２が設けられており、使用者は、この操作レバー１２を操作することにより、シャワーヘッド２０から吐水させることができる。
シャワーヘッド２０は、水栓本体１１の上端部からシンク１の内側に向けて斜め上方に延びるシャワーヘッド本体２１と、整流吐水・シャワー吐水を切替え操作するための吐水切替部３０を構成する操作部３１とを備えている。
【００２１】
図２に示すように、シャワーヘッド本体２１は、その側面の先端側に整流吐水部２３が設けられ、整流吐水部２３よりも水栓本体１１側にシャワー吐水部２４が設けられている。これら整流吐水部２３とシャワー吐水部２４は、シャワーヘッド本体２１の長手方向（軸線方向）に並ぶように配列されている。そして、本実施形態では、シャワーヘッド本体２１及び操作部３１が、各々略同径寸法の円柱形状であり、シャワーヘッド２０は、全体として凹凸の極めて少ない略円柱形状をなしている。なお、本実施形態ではシャワーヘッド２０が略円柱形状であるが、これに限らず、断面略楕円形状，断面略矩形状であってもよい。
【００２２】
操作部３１は、シャワーヘッド本体２１の軸中心Ａを回転軸として、所定の角度範囲内で回転可能となっている。
なお、本実施形態では、整流吐水部２３がシャワー吐水部２４よりもシャワーヘッド２０の先端側に設けられているが、これに限らず、シャワー吐水部２４を整流吐水部２３よりも先端側に設けてもよい。
【００２３】
図３には、本実施形態のシャワー水栓１０に加えて、既存の水栓装置１０ａ，１０ｂが破線で示されている。水栓装置１０ａは、その吐水口が本実施形態のシャワー水栓１０の先端部分よりもシンク１側に位置するように、吐水管が上方に延びた後、湾曲して下方に延びている。また、水栓装置１０ｂは、吐水管が低い位置から斜め上方に延びると共に、比較的大きな吐水ヘッドを有している。
【００２４】
したがって、水栓装置１０ａ，１０ｂは、使用者がシンク１内で大なべなどの背が高く大きなものを使用する際に、吐水口が邪魔になって作業が行い難い場合があった。また、使用者の視線Ｐに対して、水栓装置１０ａ，１０ｂは、吐水管が湾曲していたり、シャワーヘッドが大型であったりしているので、視界が妨げられてしまう場合があった。水栓装置１０ａの場合、吐水管に妨げられて、使用者に対して吐水管の向こう側にあるものが視認し難い場合が生じ得る。また、水栓装置１０ｂの場合、吐水管に妨げられて、シンク１内にあるものが視認し難い場合が生じ得る。
【００２５】
これに対し、本実施形態のシャワー水栓１０では、シャワーヘッド２０が小径であり、かつ、視線Ｐと同じ方向に延びているため、使用者の視界を妨げる程度を大幅に低減することができる。
【００２６】
図４は、本実施形態のシャワーヘッド２０の分解斜視図である。シャワーヘッド本体２１は、円筒形状の管体２２と、管体２２の一方側の側面に形成された開口２２ａ，２２ｂにそれぞれ固定された整流吐水部２３，シャワー吐水部２４を備えている（図２参照）。整流吐水部２３は整流吐水口２３ａを有し、シャワー吐水部２４は多数の小孔が形成されたシャワー散水板２４ａによりシャワー吐水口を形成している（図２参照）。
【００２７】
吐水切替部３０は、使用者が把持して回転操作を行う操作部３１と、操作部３１に固定された略有底円筒形状のホルダー部材３２と、ホルダー部材３２内に固定された弁体駆動軸案内部材としてのカム部材３３と、カム部材３３の螺旋状のカム溝に沿って案内される駆動力伝達部材としてのピン３６と、このピン３６が先端側に固定されピン３６よりも他端側に弁体３９が配置された弁体駆動軸３８と、整流吐水口２３ａへの流路を形成する第１流路形成部材４０と、シャワー散水板２４ａへの流路を形成する第２流路形成部材４４（図８、図９参照）とを備えている。本実施形態では、カム部材３３とピン３６により、操作部３１の回転運動を軸方向の進退運動に変換する運動変換部３７が形成される。
【００２８】
操作部３１は、略有底円筒形状の部材であり、内部にホルダー部３２が一体に固定されている。ホルダー部材３２には、開口側（弁体駆動軸３８側）の縁部に向けて軸方向に延びる複数のスリット３２ａが形成されている。
【００２９】
図５（Ａ）に示すように、カム部材３３は、２つの部材、すなわち第１カム部材３４と第２カム部材３５から構成されている。第１及び第２カム部材３４，３５は、それぞれ円形開口が形成された円盤部３４ａ，３５ａと、円盤部から直交する軸方向に延びる３つの周面部３４ｂ，３５ｂを備えている。
【００３０】
また、周面部３４ｂ，３５ｂの径方向内側には、カム面３４ｃ，３５ｃが形成されている。カム面３４ｃ，３５ｃは、円盤部３４ａ，３５ａの面に対して傾斜した面であり、第１カム部材３４，第２カム部材３５にそれぞれ同一形状のものが２つずつ互いに中心角で１８０度離間して形成されている。
【００３１】
図５（Ａ）に示すように、円盤部３４ａ，３５ａを向き合わせて、互いの周面部３４ｂ，３５ｂを相手の周面部間の隙間に嵌め込むことにより、同図（Ｂ）に示すように、第１カム部材３４と第２カム部材３５は一体に嵌合する。このとき、同図（Ｃ）に示すように、相対するカム面３４ｃ，３５ｃが軸方向に所定距離だけ離間した状態となる。これにより、カム部材３３には、中心角で１８０度離間した螺旋状の２つのカム溝３３ａが形成される。本実施形態では、動作角度は約９０度である。第１カム部材３４と第２カム部材３５との間にピン３６を挟み込んで、両者を嵌合固定することで、ピン３６の両端部がそれぞれカム溝３３ａに挿入された状態で、ピン３６をカム部材３３内に配置することができる。
【００３２】
さらに、周面部３４ｂ，３５ｂの外周面には、径方向に延びる係合突起３４ｄ，３５ｄが形成されている。この係合突起３４ｄ，３５ｄは、ホルダー部材３２のスリット３２ａに嵌まり込み、これにより、カム部材３３とホルダー部材３２とが一体に固定される。
【００３３】
図６に示すように、弁体駆動軸３８は、細径の円柱状の軸部材３８ａの先端側に保持部材３８ｂが設けられ、軸部材３８ａの他端側（本例では、軸部材３８ａの中央部分）に弁体３９が設けられている。
保持部材３８ｂは、軸部材３８ａよりも僅かに拡径された円柱部分であり、中心角で１８０度離間した位置に軸方向に沿ってそれぞれ溝３８ｃが形成されている。そして、保持部材３８ｂには、これら２つの溝３８ｃを貫通するように（すなわち軸部材３８ａと直交するように）、ピン３６が固定されている。なお、後述するように、弁体駆動軸３８は、管体２２，操作部３１，ホルダー部材３２，カム部材３３の中心軸から偏心した位置に配置されており、ピン３６は、保持部材３８ｂの一方側よりも他方側（図６では下側）に長く突出した状態で固定されている。
【００３４】
弁体３９は、軸部材３８ａから径方向に拡径するように一体形成された円板状部材３９ａと、この円板状部材３９ａの両面を覆うように取り付けられたシール部材３９ｂから構成されている。シール部材３９ｂは、公知のゴム部材等から形成されたものであり、シール面が軸部材３８ａの両面となっている。
【００３５】
図７に示すように、第１流路形成部材４０は、図中右側に大径な開口部４１が形成され、図中左側に小径な開口部４２が形成された筒状部材であり、さらに側面に整流吐水部２３をねじ込むための開口部４３が形成されている。これら開口部４１，４２，４３は、内部で連通している。
開口部４１は、円形の開口であり、円形の端面（整流吐水弁座部）４１ａが形成されている。この端面４１ａに弁体３９のシール部材３９ｂが液密的に平面シール可能となっている。
【００３６】
開口部４２は、弁体駆動軸３８の保持部材３８ｂの断面外形と略同一形状に形成されている。すなわち、開口部４２には、保持部材３８ｂの溝３８ｃに係合する突起部４２ａが上下に形成されている。この突起部４２ａは、開口部４２の縁部から内径方向に突出するように形成されている。弁体駆動軸３８が第１流路形成部材４０に組み付けられた状態では、ピン３６が第１流路形成部材４０の外側（すなわち開口部４２の左側）に位置し、保持部材３８ｂの溝３８ｃに開口部４２の突起部４２ａが嵌まり込む。したがって、弁体駆動軸３８及びピン３６は、溝３８ｃと突起部４２ａとの係合により回り止めされた状態で、第１流路形成部材４０に対して軸方向に移動可能となる。なお、この軸方向の移動は、溝３８ｃ内で突起部４２ａが移動できる範囲に制限される。
【００３７】
図８に示すように、第２流路形成部材４４は、管体２２内に回り止め状態で配置されており、水栓本体１１側からの湯水混合水を導く主流路４４ａと、主流路４４ａの下側でシャワー吐水部２４に導くシャワー吐水流路４４ｂとを備えている。
主流路４４ａからの流水は、流れ方向を反転させて円形の開口部（シャワー吐水弁座部）４４ｃを通ってシャワー吐水流路４４ｂに入る。この開口部４４ｃは、第１流路形成部材４０の開口部４１と正対するように配置されており、弁体３９のシール部材３９ｂが液密的に平面シール可能となっている。
【００３８】
また、第２流路形成部材４４は、シャワー吐水流路４４ｂ内に軸支持部４４ｄが形成されている。この軸支持部４４ｄは、弁体駆動軸３８の軸部材３８ａの他端側（上流側）を摺動可能に支持するように形成されている。
【００３９】
図８から分かるように、弁体駆動軸３８の軸中心Ｂは、シャワーヘッド本体２１の軸中心Ａから、整流吐水部２３及びシャワー吐水部２４が設けられた側と反対側の径方向に偏心されている。つまり、このオフセットした構成により、シャワーヘッド本体２１の管体２２内に、整流吐水部２３及びシャワー吐水部２４の十分な取り付けスペースを確保することができる。このため、管体２２からの突出を抑制して、略円柱形状のシャワーヘッド２０を形成することができる。
【００４０】
次に、図８及び図９を参照して、本発明の実施形態によるシャワー水栓１０の作用を説明する。
図８はシャワー吐水状態を示し、図９は整流吐水状態を示しており、使用者は、整流吐水とシャワー吐水とを操作部３１の回転操作により切替えることができる。
【００４１】
図８に示すシャワー吐水状態では、弁体３９は第１位置（シャワー吐水位置）に位置している。すなわち、このとき弁体３９は、第１流路形成部材４０の開口部４１の整流吐水弁座部４１ａと平面シールしている。これにより、第１流路形成部材４０の開口部４１が塞がれて遮断され、水栓本体１１からの流水は、第２流路形成部材４４の主流路４４ａを通って、開口部４４ｃを通過して、シャワー吐水部２４に導かれ、シャワー散水板２４ａより吐水される。
【００４２】
一方、図９に示す整流吐水状態では、弁体３９は第２位置（整流吐水位置）に位置している。すなわち、このとき弁体３９は、第２流路形成部材４４の開口部（シャワー吐水弁座部）４４ｃと平面シールしている。これにより、第２流路形成部材４４の開口部４４ｃが塞がれて遮断され、水栓本体１１からの流水は、第２流路形成部材４４の主流路４４ａを通って、第１流路形成部材４０の開口部４１を通過して、整流吐水部２３に導かれ、整流吐水口２３ａより吐水される。
【００４３】
次に、図８のシャワー吐水状態から図９の整流吐水状態への操作について説明する。弁体３９が第１位置（シャワー吐水位置）に位置している状態で、操作部３１を所定の整流吐水方向に回転操作すると、操作部３１と共にホルダー部材３２及びカム部材３３が、シャワーヘッド本体２１の軸中心Ａを回転中心として一体となって回転する。これにより、カム部材３３に装着されているピン３６がカム部材３３のカム溝３３ａに案内されて、図８の右側へ軸線方向に移動する。
なお、ピン３６と弁体駆動軸３８が一体に固定され、かつ、弁体駆動軸３８が第１流路形成部材４０によって回り止め状態で摺動可能に保持されているので、カム部材３３が回転する際、ピン３６は回転することなく、軸方向のみに移動する。
【００４４】
カム部材３３の回転によってピン３６が図中右側へ移動すると、これによって弁体駆動軸３８が弁体３９と共に、弁体駆動軸３８の軸中心Ｂに沿って右側に移動する。これにより、弁体３９は、第１流路形成部材４０の開口部４１を平面シールしていた第１位置（図８のシャワー吐水位置）から、第２流路形成部材４４の開口部４４ｃを平面シールする第２位置（図９の整流吐水位置）まで移動する。
弁体３９が整流吐水位置まで移動することにより、流路が完全に切替えられ、水栓本体１１からの流水は、整流吐水口２３ａから吐水される。
【００４５】
また、図９の整流吐水状態から図８のシャワー吐水状態への操作については、操作部３１を整流吐水方向とは逆方向のシャワー吐水方向に回転操作することにより行うことができる。この回転操作により、操作部３１，ホルダー部材３２及びカム部材３３が、シャワーヘッド本体２１の軸中心Ａを回転中心として一体となって回転し、これにより、カム部材３３に装着されているピン３６がカム部材３３のカム溝３３ａに案内されて、図９の左側へ軸線方向に移動する。
【００４６】
カム部材３３に回転によってピン３６が図中左側へ移動すると、これによって弁体駆動軸３８が弁体３９と共に、弁体駆動軸３８の軸中心Ｂに沿って左側に移動する。これにより、弁体３９は、図９の第２位置（整流吐水位置）から図８の第１位置（シャワー吐水位置）まで移動する。
弁体３９がシャワー吐水位置まで移動することにより、流路が完全に切替えられ、水栓本体１１からの流水は、シャワー散水板２４ａから吐水される。
【００４７】
本実施形態のシャワー水栓１０では、弁体駆動軸３８が、操作部３１の回転中心であるシャワーヘッド本体２１の軸中心Ａから、整流吐水部２３及びシャワー吐水部２４が形成された側とは反対側の径方向にオフセットされた位置に配設されている。このため、シャワーヘッド本体２１の管体２２内に、整流吐水部２３とシャワー吐水部２４の配置スペースを確保することができ、シャワーヘッド本体２１から径方向にそれほど突出しないように整流吐水部２３とシャワー吐水部２４を設けることが可能となる。これにより、シャワーヘッド本体２１をスリムな円筒形状とすることができ、シンク１内の視界確保と作業空間の拡大を実現することが可能となる。
なお、本実施形態のように、操作部３１の回転軸がシャワーヘッド本体２１の軸中心Ａと一致することが好ましいが、これに限らず、操作部３１の回転軸とシャワーヘッド本体２１の軸中心Ａとが径方向にずれていてもよい。
【００４８】
また、本実施形態のシャワー水栓１０では、カム部材３３によって、操作部３１の回転を軸方向の移動に変換し、弁体駆動軸３８を介して弁体３９を軸方向に進退移動させるように構成されている。そして、本実施形態のシャワー水栓１０では、この進退移動により、弁体３９を整流吐水弁座部４１ａと、シャワー吐水弁座部４４ｃとに、平面シールさせるように構成されている。これにより、弁体３９を他部材に摺接させることなく、流路方向を切替えることができるので、弁体部分を長寿命化することができる。また、摺接部分がないのでグリス等の使用を不要とすることができる。
【００４９】
また、本実施形態のシャワー水栓１０では、整流吐水部２３とシャワー吐水部２４が弁体３９を挟んでシャワーヘッド本体２１の軸線方向に並んで配置されているので、整流吐水部２３とシャワー吐水部２４へのそれぞれの流路を弁体３９の両側、すなわち軸方向に分離することができ、流路が径方向に重なることを抑制することが可能であるので、よりシャワーヘッド本体２１を小径でスリムな構成とすることができる。
【００５０】
なお、本実施形態では、運動変換部を構成する弁体駆動軸案内部材として螺旋状のカム溝３３ａを有するカム部材３３を用い、駆動力伝達部材としてカム溝３３ａと係合するピン３６を用いているが、これに限らず、その他の回転運動を進退運動に変換できる公知の構造を採用してもよく、例えば、弁体駆動軸案内部材として雌ねじ部材，駆動力伝達部材として雄ねじ部材を用いてもよい。
【００５１】
また、本実施形態では、ホルダー部材３２にカム部材３３が連結され、弁体駆動軸３８にピン３６が連結された構成であるが、これに限らず、ホルダー部材３２にピン３６が連結され、弁体駆動軸３８にカム部材３３が連結された構成であってもよい。同様に、ホルダー部材３２に雄ねじ部材が連結され、弁体駆動軸３８に雌ねじ部材が連結された構成であってもよい。
【符号の説明】
【００５２】
１    シンク
２    基台
１０    シャワー水栓（吐水切替水栓装置）
１１    水栓本体
１２    操作レバー
２０    シャワーヘッド
２１    シャワーヘッド本体
２２    管体
２３    整流吐水部
２３ａ  整流吐水口
２４    シャワー吐水部
２４ａ  シャワー散水板
３０    吐水切替部
３１    操作部
３２    ホルダー部材
３３    カム部材（弁体駆動軸案内部材）
３３ａ  カム溝
３４    第１カム部材
３５    第２カム部材
３６    ピン（駆動力伝達部材）
３７    運動変換部
３８    弁体駆動軸
３９    弁体
４０    第１流路形成部材
４１ａ  端面（整流吐水弁座部）
４２ａ  突起部
４４    第２流路形成部材
４４ａ  主流路
４４ｂ  シャワー吐水流路
４４ｃ  開口部（シャワー吐水弁座部）
４４ｄ  軸支持部
【図１】
2010222859.tif 000003
【図２】
2010222859.tif 000004
【図３】
2010222859.tif 000005
【図４】
2010222859.tif 000006
【図５】
2010222859.tif 000007
【図６】
2010222859.tif 000008
【図７】
2010222859.tif 000009
【図８】
2010222859.tif 000010
【図９】
2010222859.tif 000011